(57)【要約】【課題】本発明は、ケーブル付コネクタの製造方法に関し、従来例に係るケーブル付コネクタの製造方法では、製造コストが嵩むことや信頼性、または製品の安定性に課題がある。【解決手段】ケーブルにおけるリード線を絶縁性ハウジングに固着したコンタクトに接続しその接続部を合成樹脂で前記絶縁性ハウジングに一体成形して成るケーブル付コネクタ１の製造方法において、前記絶縁性ハウジング３ｄに係止片３ｇを設け、該係止片３ｇに係止部５ａを係止させて、前記一体成形後に前記接続部における合成樹脂の外表面にリード線２ａが露出しないように、当該接続部のリード線２ａをカバー５で覆い、少なくとも前記カバー５を含む接続部を金型内に設置し溶融合成樹脂を当該金型内に射出して一体成形するケーブル付コネクタ１の製造方法とする。【選択図】図４
2005302358.tif 000002
【特許請求の範囲】
【請求項１】
ケーブルにおけるリード線を絶縁性ハウジングに固着したコンタクトに接続しその接続部を合成樹脂で前記絶縁性ハウジングに一体成形して成るケーブル付コネクタの製造方法において、
前記絶縁性ハウジングに係止片を設け、
該係止片に係止部を係止させて、前記一体成形後に前記接続部における合成樹脂の外表面にリード線が露出しないように、当該接続部のリード線をカバーで覆い、
少なくとも前記カバーを含む接続部を金型内に設置し溶融合成樹脂を当該金型内に射出して一体成形すること、
を特徴とするケーブル付コネクタの製造方法。
【請求項２】
ケーブルにおけるリード線を絶縁性ハウジングに固着したコンタクトに接続しその接続部を合成樹脂で前記絶縁性ハウジングに一体成形して成るケーブル付コネクタにおいて、
前記一体成形後の接続部における合成樹脂の外表面にリード線が露出しないように該リード線を覆うカバーと、
前記カバーを前記絶縁性ハウジングに係止するための係止片とが設けられていること、
を特徴とするケーブル付コネクタ。
【発明の詳細な説明】
【技術分野】
【０００１】
本発明は、例えば、コネクタにケーブルを一体成形するケーブル付コネクタとその製造方法に関するものである。
【背景技術】
【０００２】
従来、コネクタ一体成形ケーブルアッセンブリにおいて、図６乃至図７に示すように、コネクタの複数のコンタクトに、ケーブル２のリード線２ａを半田付けし、これらの接続部のリード線２ａが外部に露出しないようにしている。例えは、従来例１では、テープ１１で一旦リード線２ａを固定してその後に一体成形１０している。
また、従来例２では、合成樹脂１２で一次成形若しくは固めることでリード線２ａを固めて、その後に、二次成形１３している。このようなケーブル付コネクタ１４，１５の製造方法が知られている（特許文献１参照）。
【特許文献１】特開平７−２８２９０７号公報
【０００３】
しかし、従来のケーブル付コネクタ１４，１５の製造方法では、テープ１１が剥がれてしまったりして信頼性が無く、一次成形する場合には、一次成形と二次成型との金型が別々に必要となって、コネクタの製造費用が嵩むことになり、更に、合成樹脂等でリード線を固める方法では製品として安定した品質のものが作れないという課題がある。
【発明の開示】
【発明が解決しようとする課題】
【０００４】
このように、従来例に係るケーブル付コネクタとその製造方法では、製造コストが嵩むことや信頼性、または製品の安定性に課題がある。
【課題を解決するための手段】
【０００５】
本発明に係るケーブル付コネクタとその製造方法の要旨は、ケーブルにおけるリード線を絶縁性ハウジングに固着したコンタクトに接続しその接続部を合成樹脂で前記絶縁性ハウジングに一体成形して成るケーブル付コネクタの製造方法において、前記絶縁性ハウジングに係止片を設け、該係止片に係止部を係止させて、前記一体成形後に前記接続部における合成樹脂の外表面にリード線が露出しないように、当該接続部のリード線をカバーで覆い、少なくとも前記カバーを含む接続部を金型内に設置し溶融合成樹脂を当該金型内に射出して一体成形することである。
【０００６】
本発明に係るケーブル付コネクタの要旨は、ケーブルにおけるリード線を絶縁性ハウジングに固着したコンタクトに接続しその接続部を合成樹脂で前記絶縁性ハウジングに一体成形して成るケーブル付コネクタにおいて、前記一体成形後の接続部における合成樹脂の外表面にリード線が露出しないように該リード線を覆うカバーと、前記カバーを前記絶縁性ハウジングに係止するための係止片とが設けられていることである。
【発明の効果】
【０００７】
本発明のケーブル付コネクタとその製造方法によれば、絶縁性ハウジングの係止片に係止させたカバーにより、接続部におけるリード線が覆われて、金型内において溶融合成樹脂が射出されてその流動圧による押圧力で揺動することがあっても、カバーで内包されているのでリード線がこの合成樹脂の表面に露出することがない。よって、二次成形の必要が無くなって製造コストが低減される。また、リード線を覆う作用の信頼性が向上し、製品の品質も安定する。
【発明を実施するための最良の形態】
【０００８】
本発明に係るケーブル付コネクタ１は、図１に示すように、ケーブル２と、コネクタ部３と、絶縁性の合成樹脂による樹脂成形被覆部４とからなる。なお、従来例に係る部分に対応する部分には、従来例と同一の符号を付けて説明する。
【０００９】
前記ケーブル２には、複数本のリード線２ａ（図参照）が束になっていて外皮で被覆されている。また、前記コネクタ部３には、複数個のコンタクトが併設されており、正面図で見える２個のピン３ａ，３ｂは、接合時のロックピンである。
【００１０】
前記コネクタ部３のコネクタ３ｃは、図２（Ａ）〜（Ｄ）に示すように、絶縁性ハウジング３ｄの前面側にコンタクト３ｅが併設され、ハウジング３の後面側にそのリード部３ｆが突設されている。更に、前記絶縁性ハウジング３ｄの中央部の側方、即ち、前記リード部３ｆを挟むハウジング長手方向に沿った両側に、係止片３ｇが設けられている。
【００１１】
前記係止片３ｇは、絶縁性ハウジング３ｄの前方側に係止作用部分があり、ここに係止させた場合に、後方への移動を阻止するように成っている。この係止片３ｇには、薄い板状のカバー５が係止される。
【００１２】
例えば、図３（Ａ）に示すように、前記樹脂成形被覆部４の表面に前記リード線２ａが露出しないように該リード線２ａを覆うカバー５が設けられる。このカバー５は、合成樹脂製で可撓性のあるフィルム若しくはそれより厚みのあるシートとする。そして、このカバー５は、透明若しくは半透明、そのほか不透明でも良い。
【００１３】
前記カバー５には、係止部としての係止孔５ａが４カ所に設けられている。これを、図４に示すように、リード部３ｆにリード線２ａをそれぞれに半田付けした後、係止孔５ａで片側の係止片３ｇに係止させ、前記リード線２ａを覆うように折り曲げて、他側の係止片３ｇに係止孔５ａを係止させる。こうして、図４（Ｂ）に示すように、カバー５によってケーブル格納エリア６ができる。
【００１４】
そして、図５（Ａ），（Ｂ）に示すように、リード線２ａとリード部３ｆに半田付けして、前記カバー５で覆った接続部を、金型内に設置する。この金型内に溶融合成樹脂が射出され、前記ケーブル格納エリア６に充填されると共に金型内に充填され、図５（Ｃ）に示すように、樹脂成形被覆部４が形成される。
【００１５】
このように、金型内に溶融合成樹脂が充填されている間、前記溶融合成樹脂の流動圧により、複雑に押されてリード線２ａが揺動することになるが、当該リード線２ａは、カバー５で覆われているので、前記樹脂成形被覆部４の外表面に露出する事がない。
【００１６】
前記カバー５は、金型で成形中に、リード線２ａを覆っていればよいものであり、特にその材質等を制限するものではなく、例えば、他の実施例として、図３（Ｂ）に示すように、係止孔７ａを３カ所に設けた、略三角形状のカバー７であっても良い。この場合、絶縁性ハウジング３ｄにおける係止片も３カ所にする。これにより、カバー材料費の節約と、係止作業の能率を向上させるものである。
【００１７】
こうして、本発明に係るケーブル付コネクタとその製造方法により、接続部におけるリード線２ａがカバー５によって、外部に露出することなく製品価値が高まり、安定する。また、リード線を覆う作業が確実になされるようになり、当該作業の確実性及び信頼性が向上するものである。
【図面の簡単な説明】
【００１８】
【図１】本発明に係るケーブル付コネクタ１の平面図（Ａ）、正面図（Ｂ）、底面図（Ｃ）、左右側面図（Ｄ），（Ｅ）である。
【図２】同本発明のケーブル付コネクタ１におけるコネクタ３ｃの正面図（Ａ）、平面図（Ｂ）、左右側面図（Ｃ），（Ｄ）である。
【図３】同本発明のケーブル付コネクタ１におけるカバー５の正面図（Ａ）と、他の実施例に係るカバー７の正面図（Ｂ）である。
【図４】同本発明のケーブル付コネクタ１における、接続部においてカバー５をリード線２ａに被せた状態の正面図（Ａ）、側面図（Ｂ）である。
【図５】同金型内にセットした状態のケーブル付コネクタ１の正面図（Ａ）と、側面図（Ｂ）と、ケーブル付コネクタ１が完成した状態の正面図（Ｃ）である。
【図６】従来例に係るケーブル付コネクタ１４の、接続部にテープ１１を貼着して金型にセットする状態の正面図（Ａ）と、側面図（Ｂ）、完成した状態の正面図（Ｃ）である。
【図７】同従来例に係るケーブル付コネクタ１５の、接続部を合成樹脂１２で固めて金型にセットする状態の正面図（Ａ）と、側面図（Ｂ）、完成した状態の正面図（Ｃ）である。
【符号の説明】
【００１９】
１          ケーブル付コネクタ、
２          ケーブル、                    ２ａ            リード線、
３          コネクタ部、                  ３ａ，３ｂ      ピン、
３ｃ        コネクタ、                    ３ｄ            絶縁性ハウジング、
３ｅ        コンタクト、                  ３ｆ            リード部、
３ｇ        係止片、
４          樹脂成形被覆部、            
５          カバー、                      ５ａ            係止孔、
６          ケーブル格納エリア 、
７          カバー、                      ７ａ            係止孔。
【図１】
2005302358.tif 000003
【図２】
2005302358.tif 000004
【図３】
2005302358.tif 000005
【図４】
2005302358.tif 000006
【図５】
2005302358.tif 000007
【図６】
2005302358.tif 000008
【図７】
2005302358.tif 000009